(57)【特許請求の範囲】
【請求項１】
可撓性のホースが接続された、吐水口を有する先端側の引出式のハンド吐水部を、基端側の支持管部によって出入れ可能に支持するとともに、該ハンド吐水部と支持管部との一方には、該ハンド吐水部の出入れ方向に突出する雄嵌合部を、他方には対応する雌嵌合部を設けて、それら雄嵌合部と雌嵌合部との嵌合部分で該ハンド吐水部を保持するようになしたホース収納水栓において
前記ハンド吐水部の出入れ方向である前記雄嵌合部及び雌嵌合部の長手方向に亘って設けた弾性体を有し、該弾性体の弾性変形を伴って前記雄嵌合部と雌嵌合部とを弾性嵌合させる弾性嵌合機構が、該雄嵌合部と雌嵌合部との間に配設してあり、
前記弾性体と前記雄嵌合部との間には、該弾性体を保持するホルダが介在させてあって、該ホルダの外周面上に該弾性体が保持してあり、
該ホルダは全体として筒状をなしていて、該ホルダが、前記雄嵌合部の前記雌嵌合部への挿入時に挿入案内する案内部材を成していることを特徴とするホース収納水栓。
【請求項２】
請求項１において、前記ホルダは拡径，縮径方向に変形可能且つ前記雄嵌合部の抜出状態の下で該雄嵌合部の外径よりも内径が小径であり、該雄嵌合部の前記雌嵌合部への挿入により拡径方向に押し拡げられて、前記弾性体を圧縮変形させるものであることを特徴とするホース収納水栓。
【請求項３】
請求項２において、前記ホルダは、前記弾性体を保持して圧縮変形させる保持部且つ該弾性体の径方向内側に位置する部分の一部が、肉の削られた肉削部とされていて、該肉削部では該弾性体を圧縮変形させないか又は圧縮変形量を少なくするものとなしてあることを特徴とするホース収納水栓。
【請求項４】
請求項２において、前記ホルダは、前記弾性体を保持する保持部以外の部分に複数の肉削部を有していることを特徴とするホース収納水栓。
【発明の詳細な説明】
【技術分野】
【０００１】
この発明は可撓性のホースが接続された、吐水口を有する先端側の引出式のハンド吐水部を、基端側の支持管部によって出入れ可能に支持するようになしたホース収納水栓に関する。
【背景技術】
【０００２】
従来、可撓性のホースが接続された、吐水口を有する先端側の引出式のハンド吐水部を、基端側の支持管部によって出入れ可能に支持するようになしたホース収納水栓が広く用いられている。
このホース収納水栓として、ハンド吐水部と支持管部との一方に、ハンド吐水部の出入れ方向に突出する雄嵌合部を、他方に対応する雌嵌合部を設けて、それら雄嵌合部と雌嵌合部とを嵌合させ、その嵌合部分でハンド吐水部を保持するようになしたものが公知である。
図１１はその具体例を示している。
【０００３】
同図において２００はホース収納水栓（この例ではシングルレバー式水栓）で、２０２は水栓本体、２０４はその上部に設けられたシングルレバーハンドルである。
このホース収納水栓（以下単に水栓とする）２００では、シングルレバーハンドル２０４を左右に回動操作することで吐水の温度調節が行われ、また上下に回動操作することで吐水開始と止水及び吐水の流量調節が行われる。
【０００４】
２０６は吐水口２０８を有する先端側のハンド吐水部で、このハンド吐水部２０６には可撓性のホース２１０が接続されており、かかるハンド吐水部２０６が、ホース２１０とともに基端側の支持管部を成す吐水管基部２１２から引出可能とされている。
図１１（Ｂ）に示すように吐水管基部２１２の前面の略中央部には、ホース２１０の引出口の周りに、ハンド吐水部２０６側に突出する円筒形状の雄嵌合部２１４が設けられている。
この雄嵌合部２１４の外周面即ち雄嵌合面には、周方向に沿って連続的な凹凸形状をなす雄セレーション部２１６が設けられている。
一方ハンド吐水部２０６の後面には、対応する位置において雌嵌合部２１８が設けられている。
この雌嵌合部２１８の内周面即ち雌嵌合面には、周方向に連続的な凹凸形状をなす雌セレーション部２２０が設けられている。
【０００５】
この水栓２００では、ハンド吐水部２０６を手に持ってホース２１０とともに引出可能であり、またこれを戻す際には、ハンド吐水部２０６を吐水管基部２１２側に押し込み、そしてハンド吐水部２０６側の雌嵌合部２１８と、吐水管基部２１２側の雄嵌合部２１４とを互いに嵌合させる。
ここにおいてホース２１０が水栓本体２０２側に収納され、またハンド吐水部２０６が水栓本体２０２側の吐水管基部２１２にて支持される。
このときハンド吐水部２０６は、雄嵌合部２１４と雌嵌合部２１８との嵌合部分で保持される。
【０００６】
この例ではまた、雄嵌合部２１４と雌嵌合部２１８とを嵌合させたときに、雄嵌合部２１４の雄セレーション部２１６と、雌嵌合部２１８の雌セレーション部２２０とが噛み合った状態となり、ハンド吐水部２０６の回転方向の位置が規定される。
即ち吐水口２０８の向きを所望の向きとした状態に、ハンド吐水部２０６が回転方向に位置決めされ、吐水管基部２１２にて支持される。
この種の雄嵌合部と雌嵌合部との嵌合部分でハンド吐水部を保持する形式のホース収納水栓については、例えば下記特許文献１に開示されている。
【０００７】
ところでこの種のホース収納水栓、即ち雄嵌合部と雌嵌合部との嵌合部分でハンド吐水部を保持するようになしたホース収納水栓では、雄嵌合部と雌嵌合部との間に、それらを確実に嵌合させ得るように所定の嵌合クリアランス（嵌合隙間）を設定する。
【０００８】
この場合雄嵌合部と雌嵌合部との間に嵌合の遊びが生ずることとなり、このためハンド吐水部が基端側の支持管部に対してガタツキを生じてしまう。
特に吐水管がＬ字状をなしていて水平部分が長く形成されており、そしてその水平部分の中間位置で長手方向に分割されて、先端側がハンド吐水部とされ、基端側が支持管部とされているような水栓にあっては、ハンド吐水部をホースとともに収納状態としたときに、即ち雄嵌合部と雌嵌合部とを嵌合させたときに、そのガタツキ即ち嵌合クリアランスによって、先端側のハンド吐水部が支持管部に対して折れ曲がったような外観を呈し、吐水管の水平部分が途中で形状的に不連続となってしまって、このことが見栄えを悪化させてしまう要因となる。
【０００９】
一方で雄嵌合部と雌嵌合部との間の嵌合クリアランスを可及的に小さくすると、雄嵌合部と雌嵌合部とを嵌合させる際、即ち雄嵌合部を雌嵌合部の内部に挿入する際の摺動抵抗が大となって挿入性が悪化し、ハンド吐水部を支持管部に対して脱着する際の作業性が悪くなり、水栓の使い勝手が悪化する問題を生じてしまう。
【００１０】
尚、本発明に関連した先行技術として下記特許文献２に開示されたものがある。
この特許文献２に開示のものは、ハンド吐水部を、先端側の吐水ヘッドと握りの部分即ちグリップ部分との分割構造として、それらを結合するようになしたもので、その結合部分の新規な結合構造を提案しているものであるが、この部分はハンド吐水部と支持管部との脱着部分とは別異の部分であり、特許文献２に開示のものは本発明とは相異なるものである。
【００１１】
本発明に対する先行技術として、他に下記特許文献３に開示されたものがある。
しかしながらこの特許文献３に開示のものもまた、本発明とは相異なったものである。
【００１２】
【特許文献１】特開２００２−３４８９２３号公報
【特許文献２】特開平８−２７５８９７号公報
【特許文献３】特開２００３−１４７８２１号公報
【発明の開示】
【発明が解決しようとする課題】
【００１３】
本発明は以上のような事情を背景とし、雄嵌合部を雌嵌合部に挿入してそれらを嵌合させるに際して、雄嵌合部と雌嵌合部との間の嵌合クリアランスによってガタツキを生じたり、その嵌合クリアランスに起因してハンド吐水部が支持管部に対し折れ曲がった形状となって、見栄えを悪化させたりする問題を解決し得るとともに、雄嵌合部を挿入する際の挿入感が良好であり、また雄嵌合部の挿入に際して大きな摺動抵抗を生ぜしめず、挿入性が良好で使い勝手の良いホース収納水栓を提供することを目的としてなされたものである。
【課題を解決するための手段】
【００１４】
而して請求項１のものは、可撓性のホースが接続された、吐水口を有する先端側の引出式のハンド吐水部を、基端側の支持管部によって出入れ可能に支持するとともに、該ハンド吐水部と支持管部との一方には、該ハンド吐水部の出入れ方向に突出する雄嵌合部を、他方には対応する雌嵌合部を設けて、それら雄嵌合部と雌嵌合部との嵌合部分で該ハンド吐水部を保持するようになしたホース収納水栓において、前記ハンド吐水部の出入れ方向である前記雄嵌合部及び雌嵌合部の長手方向に亘って設けた弾性体を有し、該弾性体の弾性変形を伴って前記雄嵌合部と雌嵌合部とを弾性嵌合させる弾性嵌合機構が、該雄嵌合部と雌嵌合部との間に配設してあり、前記弾性体と前記雄嵌合部との間には、該弾性体を保持するホルダが介在させてあって、該ホルダの外周面上に該弾性体が保持してあり、該ホルダは全体として筒状をなしていて、該ホルダが、前記雄嵌合部の前記雌嵌合部への挿入時に挿入案内する案内部材を成していることを特徴とする。
【００１５】
請求項２のものは、請求項１において、前記ホルダは拡径，縮径方向に変形可能且つ前記雄嵌合部の抜出状態の下で該雄嵌合部の外径よりも内径が小径であり、該雄嵌合部の前記雌嵌合部への挿入により拡径方向に押し拡げられて、前記弾性体を圧縮変形させるものであることを特徴とする。
【００１６】
請求項３のものは、請求項２において、前記ホルダは、前記弾性体を保持して圧縮変形させる保持部且つ該弾性体の径方向内側に位置する部分の一部が、肉の削られた肉削部とされていて、該肉削部では該弾性体を圧縮変形させないか又は圧縮変形量を少なくするものとなしてあることを特徴とする。
【００１７】
請求項４のものは、請求項２において、前記ホルダは、前記弾性体を保持する保持部以外の部分に複数の肉削部を有していることを特徴とする。
【発明の作用・効果】
【００１８】
以上のように本発明は、雄嵌合部及び雌嵌合部の長手方向に亘って設けた弾性体を有し、その弾性体の弾性変形を伴って雄嵌合部と雌嵌合部とを弾性嵌合させる弾性嵌合機構を、それら雄嵌合部と雌嵌合部との間に配設したものである。
【００１９】
本発明によれば、雄嵌合部を雌嵌合部に挿入してそれらを嵌合させる際、弾性体の弾性変形を伴って弾性嵌合機構が雄嵌合部と雌嵌合部とを弾性嵌合させるため、従来のように嵌合クリアランスに基づいて雄嵌合部と雌嵌合部との嵌合部分でガタツキを生じる問題を解決でき、またそのガタツキ即ち嵌合クリアランスに起因してハンド吐水部が支持管部に対し不連続に折れ曲がった形となってしまって外観上の見栄えを悪化させる問題を解決することができる。
【００２０】
しかも本発明では、弾性体の弾性変形を伴って雄嵌合部を雌嵌合部にしなやかに挿入でき、雄嵌合部を挿入する際の挿入感を良好となし得、ひいては水栓の品位を高め得る効果も奏する。
また嵌合状態で雄嵌合部と雌嵌合部とが弾性嵌合機構にて弾性嵌合した状態となるため、雄嵌合部即ちハンド吐水部を所望の保持力で保持することが可能となり、またハンド吐水部を所望の回転方向の位置に良好に保持することができる。
【００２１】
本発明では、上記弾性体としてエラストマーを用いることができる。
【００２２】
また本発明は、弾性体と雄嵌合部との間に弾性体を保持するホルダを介在させて、そのホルダの外周面上に弾性体を保持させるようになしたものである。
このようにすれば、ホルダを介して弾性体を容易に取り付けることができるとともに、雄嵌合部を雌嵌合部に挿入する際に雄嵌合部が弾性体に直接接触するのを防止でき、従って雄嵌合部が弾性体に対し摺動することにより弾性体が摩耗したり損傷したりするのを有効に防止することができる。
この効果は弾性体としてエラストマーを用いた場合に特に大である。
ここでホルダは好適には樹脂製となしておくことができる。
【００２３】
更に本発明では、上記ホルダを全体として筒状となしてかかるホルダを、雄嵌合部の雌嵌合部への挿入時に挿入案内する案内部材と成したもので、このようにすれば、かかるホルダの案内作用の下で雄嵌合部を雌嵌合部に対し円滑に挿入することができる。
【００２４】
この場合においてホルダは拡径，縮径方向に変形可能且つ雄嵌合部の抜出状態の下で雄嵌合部の外径よりも内径を小径となし、雄嵌合部の雌嵌合部への挿入により拡径方向に押し拡げられて、弾性体を圧縮変形させるものとなしておくことができる（請求項２）。
【００２５】
次に請求項３は、上記弾性体を保持して圧縮変形させるホルダの保持部且つ弾性体の径方向内側に位置している部分の一部を、肉の削られた肉削部となして、その肉削部では弾性体を圧縮変形させないか（ホルダを貫通して肉が削られた場合）又は圧縮変形量を少なくする（非貫通で肉が削られた場合）ようになしたものである。
【００２６】
弾性体を全体的に圧縮変形させるようになしたとき、例えばリング状をなす弾性体を全周に亘って圧縮変形させるようになしたとき、場合によってその弾性体の変形抵抗が必要以上に大となって、雄嵌合部を雌嵌合部に挿入する際の挿入抵抗が必要以上に大きくなり、挿入作業性を悪化させてしまう場合が生ずる。
【００２７】
しかるに請求項３によれば、ホルダに肉削部分を設けてその肉削部では弾性体を圧縮変形させないか又は圧縮変形量を少なくできるため、弾性体の圧縮変形による挿入抵抗が必要以上に大きいときに、弾性体の変形抵抗に基づく雄嵌合部の挿入抵抗を軽減し得、雄嵌合部の良好な挿入性を確保することができる。
【００２８】
このホルダにおける保持部の肉削部は、ホルダ自体の剛性，変形抵抗を小さくする働きも有している。
筒状を成すホルダは、それ自身の剛性、変形抵抗をできるだけ小さくしておくことが望ましい。
ホルダの剛性，変形抵抗が大きいと、雄嵌合部を雌嵌合部に挿入したときにホルダによる大きな変形抵抗が、雄嵌合部の挿入に対し大きな挿入抵抗となって働く。
【００２９】
この場合雄嵌合部の挿入によりホルダが拡径形状に長い期間保持されていると、応力による不可逆的な永久変形に経年変化による劣化も加わって、ホルダが拡径形状に形状変化してしまい、新品当時における雄嵌合部の挿入時の挿入抵抗と、長期経過した後における雄嵌合部の挿入時の挿入抵抗とが異なったものとなってしまう。即ち雄嵌合部を挿入する際の挿入感が経時的に変化してしまう。
【００３０】
これを可能な限り防止するためには、ホルダ自身の有する剛性，変形抵抗をできるだけ小さくしておくことが望ましい。
そこでホルダの保持部に上記の肉削部を設けておけばホルダの剛性，変形抵抗を小さくでき、雄嵌合部の挿入時における挿入感を長期に亘りより一定に保持することが可能となる。
【００３１】
この意味においてホルダにおける上記保持部の肉削部はホルダを肉厚方向に貫通したものとなしておくことが望ましい。
このようにすれば、肉削部を設けた部分において弾性体の弾性変形量をより小さくして、弾性体の変形抵抗による雄嵌合部の挿入時の挿入抵抗をより小さくすることができるのに加えて、ホルダ自体の変形抵抗も効果的に小さくできる効果が得られる。
【００３２】
請求項４は、上記ホルダの、弾性体を保持する保持部以外の部分を肉削するようになしたもので、この請求項４によれば、ホルダ自体の剛性，変形抵抗を小さくすることができる。
【００３３】
尚、筒状を成すホルダは、周方向の所定個所で全長に亘って切れ目ないし切欠きを有する、周方向に分断された形状となしておくことが望ましい。
このようにすることで、ホルダが拡径変形する際の変形抵抗をより効果的に小となすことができる。
【発明を実施するための最良の形態】
【００３４】
次に本発明の実施形態を図面に基づいて詳しく説明する。
図１において、１０はホース収納水栓（ここではシングルレバー水栓。以下単に水栓とする）で、１２は図示を省略するカウンターから起立する水栓本体であり、湯水の混合部１４を有している。
この水栓本体１２からは吐水管１６が延び出している。
本実施形態において、吐水管１６は吐水口１８を有する先端側の引出式のハンド吐水部２０と、その支持管部となる基端側の吐水管基部２２とを有している。
【００３５】
ハンド吐水部２０には可撓性のホース２４が吐水管基部２２を挿通して接続されており、かかるハンド吐水部２０が、ホース２４とともに吐水管基部２２から引出可能とされている。即ちハンド吐水部２０が、ホース２４とともに引出可能に吐水管基部２２にて支持されている。
ここでホース２４はゴム等の弾性材から成る内側のチューブと、これを外側から被覆する蛇腹状の可撓性を有する金属管との２重管構造を成している。
【００３６】
本実施形態において、吐水管１６は全体としてＬ字状をなしていて、上向きに起立する起立部１６-１と、その上端で折れ曲がって水平方向且つ使用者に向けて前方に横向きに延出する水平部１６-２とから成っている。
水平部１６-２はその中間で図中左右に２分割されており、その先端側の部分が、上記ハンド吐水部２０として構成されている。
【００３７】
２５は水，湯を水栓本体１２の混合部１４に供給するサプライ管で、それぞれの上端部が混合部１４に接続され、それらサプライ管２５を通じて湯，水が混合部１４へと供給される。
供給された水と湯とは混合部１４で所定比率で混合され、その混合水が流出管２６を通じて混合部１４から流出する。
【００３８】
流出管２６の下端部には上記のホース２４が接続されており、流出管２６を通じて流出した混合水が、ホース２４を通じて上記のハンド吐水部２０へと導かれる。
【００３９】
混合部１４には、シングルレバーハンドル２８が備えられている。
シングルレバーハンドル２８は、正面形状が円形で逆カップ状をなすハンドル基部３０と、これから延び出したレバー部３２とを有している。
この混合部１４では、レバー部３２を混合部１４の軸方向に回動操作することで吐止水と吐水の流量調節とが行われ、またレバー部３２を軸周りに回動操作することで、混合水即ち吐水の温度調節が行われる。
【００４０】
尚、図１において３４は水栓１０をカウンターに固定するための馬蹄形金具で、３６はその下側で、水栓本体１２から下向きに延び出したホースガイド管３８の外周面に螺合した締付ナットであり、ここでは締付ナット３６は円筒状に構成されている。
【００４１】
この実施形態では、締付ナット３６を上向きにねじ込んで行くことで、馬蹄形金具３４がカウンターの裏面に押し付けられ、水栓本体１２から下向きに延び出したホースガイド管３８がカウンターに固定される。そしてこのホースガイド管３８を介して、水栓１０がカウンターに取付固定される。
【００４２】
即ちこの実施形態では、ホースガイド管３８が水栓１０固定のための固定用軸体として用いられており、そのホースガイド管３８がカウンターに固定されることで、水栓１０がカウンターに取付固定される。
ここでホースガイド管３８は、内部空間にホース２４を挿通させ、ホース移動時の案内を成す部材である。
【００４３】
ハンド吐水部２０は、これを手に持って支持管部としての吐水管基部２２からホース２４とともに引き出し、吐水口１８から吐水を行うもので、図２及び図４に示しているようにこのハンド吐水部２０は、内部に流路３９を有するコア部材４０と、これを外側から覆うカバー部材４２とで構成してあり、そのコア部材４０に対して、上記のホース２４が流路３９に連通する状態で水密に接続されている。
【００４４】
図２〜図５に示しているように、吐水管基部２２の前端部（図中左端部）には、ハンド吐水部２０の出入れ方向に突出する円筒形状の雄嵌合部４４が設けられている。図５に詳しく示しているようにこの雄嵌合部４４の内側の空間は、ホース２４の挿通部４６とされている。
【００４５】
一方、ハンド吐水部２０の後端部（図中右端部）には、雄嵌合部４４に対応した円筒形状を成す雌嵌合部４８が設けられており、そしてこの雌嵌合部４８の内側に、雄嵌合部４４と雌嵌合部４８とを弾性嵌合させるための弾性嵌合機構５０が装着されている。
【００４６】
ここで弾性嵌合機構５０は、雌嵌合部４８の長手方向に間隔を隔てて２個所に設けられたゴム弾性体から成るＯリング５２，５３と、Ｏリング５２，５３の内周側に位置してこれを保持する樹脂製のホルダ５４とを含んで構成してある。
【００４７】
ホルダ５４は全体として略円筒状をなしており、図５に示しているように軸方向の一端（図中左端）を、上記のコア部材４０の段付部５６に当接させる状態に、図６に示すＵ字状の止め具５８にて雌嵌合部４８に取り付けられている。
【００４８】
ここでＵ字状の止め具５８は、一対の脚部６０を雌嵌合部４８に形成した開口６２を通じて雌嵌合部４８内部に挿入させ、これをホルダ５４に係合させることによって、ホルダ５４を雌嵌合部４８から図中右方向に抜け止めしている。
【００４９】
図７にホルダ５４の具体的構成が示してある。
図示のように略円筒状を成す樹脂製のホルダ５４は、周方向所定個所に切欠き６４（図７（Ｃ）参照）を有する断面Ｃリング状のもので、その切欠き６４において周方向に分断され、拡径方向に抵抗少なく容易に弾性変形し得るものとなしてある。
【００５０】
同図に示しているようにホルダ５４には、肉厚方向に貫通の多数の肉削部７６，７８，８０が設けられていて、ホルダ５４全体が概略円筒格子状の部材とされている。
このホルダ５４は、長手方向に間隔を隔てて設けられた一対のリング状部６６，６８と、それらリング状部６６と６８とを周方向に所定間隔ごとに連結する連結片７０と、一方のリング状部６６から図中左向きに延び出した複数のアーム７２と、他方のリング状部６８から、アーム７２とは逆向きに延び出した多数のアーム７４とを有している。
そして隣接する連結片７０と７０との間の部分が上記の肉削部７６とされている。
【００５１】
図中左向きに延び出した各アーム７２の先端には、径方向外向きに起立する鍔部８２が同一円周上に一体に形成されており、それら鍔部８２とリング状部６６との間に、環状の保持溝８４を形成していて、その保持溝８４において上記のＯリング５２を嵌込状態に保持している。
ここで各アーム７２と７２との間の部分は上記の肉削部７８とされている。
【００５２】
一方リング状部６８から図中右向きに延び出した各アーム７４にも、長手方向中間部に径方向外向きに起立する鍔部８６が同一円周上に一体に形成されており、それら鍔部８６とリング状部６８との間に環状の保持溝８８が形成されていて、その保持溝８８に他方のＯリング５３が保持されている。
これらアーム７４と７４との間の部分は上記の肉削部８０とされている。
【００５３】
各アーム７４にはまた、その先端にも鍔部９０が同一円周上に設けられており、この先端の鍔部９０と上記の中間の鍔部８６との間に環状の係止溝９２が形成されている。そしてこの係止溝９２に上記のＵ字状を成す止め具５８の各脚部６０が挿入され、係止されている。
ホルダ５４は、この係止溝９２への止め具５８の一対の脚部６０の係止によって、ハンド吐水部２０の雌嵌合部４８から抜け止めされている。
【００５４】
この実施形態において樹脂製のホルダ５４は、図７（Ｃ）に示す切欠き６４、及びホルダ５４に分散して多数形成された貫通の肉削部７６，７８，８０によって、拡径方向の剛性、変形抵抗が極めて小さいものとされている。
言わばホルダ５４は拡径方向に保形力の極めて小さい部材とされている。
【００５５】
このホルダ５４にあってはまた、Ｏリング５２，５３を保持する環状溝の溝底部分、つまりＯリング５２，５３に対して径方向内側に位置する部分が、周方向に沿って所定間隔ごとに貫通の肉削部７８とされていることによって、上記の雄嵌合部４４を雌嵌合部４８に対し、Ｏリング５２，５３の圧縮変形を伴って挿入したとき、Ｏリング５２，５３を全周に亘って均等に圧縮変形させず、肉削部７８，８０においてはＯリング５２，５３に対して圧縮力を加えず、同部分においてはＯリング５２，５３を圧縮変形させない特徴を有している。
【００５６】
図８はこれを具体的に表している。
同図に示しているように、Ｏリング５２，５３はアーム７２，７４の間の部分の肉削部７８，８０の個所においては圧縮変形しておらず、そのことによってＯリング５２，５３の圧縮変形させる際の変形抵抗が適正な変形抵抗とされている。
【００５７】
この実施形態において、ホルダ５４は各対応する連結片７０及び一方のアーム７２と他方のアーム７４とが、一直線状をなすように形成され、そして図７（Ｂ）に示しているようにその内面に、連結片７０，アーム７２，７４に沿って長手方向に延びる突条９４が形成されている。
【００５８】
ホルダ５４は、雄嵌合部４４を雌嵌合部４８に挿入する際に、これら突条９４において雄嵌合部４４の外周面に線状に接触し、雄嵌合部４４の挿入案内をなす。
尚、ホルダ５４の内面且つ図中右端部、詳しくはアーム７４の端部内面には、雄嵌合部４４を差込案内する傾斜形状のガイド面９６が形成されている。
【００５９】
一方、アーム７２の付根からリング状部６６にかけての部分の内面には、複数の位置決用の突起９８が周方向に所定間隔ごとに且つ同一円周上に、径方向内向きに突出する形状で設けられている。
これに対応して、図４及び図５に示しているように雄嵌合部４４の外周面には、円環状の位置決用の凹部１００が形成されており、この凹部１００に対し、上記突起９８が弾性的に嵌合するようになっている。
ここで突起９８と凹部１００とは、雄嵌合部４４を雌嵌合部４８に挿入したときに、雄嵌合部４４の挿入端で突起９８と凹部１００とが互いに弾性嵌合するように、それらの位置が予め定めてある。
【００６０】
次に本実施形態の作用を以下に説明する。
図４及び図５は、ハンド吐水部２０を吐水管基部２２から引き出した状態を表しており、この状態からハンド吐水部２０を吐水管基部２２側に押し込み、ハンド吐水部２０の雌嵌合部４８と吐水管基部２２の雄嵌合部４４とを嵌合させることによって、ホース２４を吐水管基部２２内部に全体的に収納し、ハンド吐水部２０を吐水管基部２２にて支持した状態とすることができる。
【００６１】
その際、詳しくは雄嵌合部４４を雌嵌合部４８に挿入する際、雄嵌合部４４を雌嵌合部４８から抜き出した状態の下で、その内径が雄嵌合部４４の外径よりも小径をなす樹脂製のホルダ５４がＯリング５２，５３を圧縮変形させつつ拡径方向に押し拡げられ、雄嵌合部４４をホルダ５４の内部に挿入せしめる。
【００６２】
このときホルダ５４は雄嵌合部４４の挿入の案内部材として働き、雄嵌合部４４を円滑に雌嵌合部４８内に挿入せしめる。
その際に雄嵌合部４４は、ホルダ５４のガイド面９６の嵌込案内作用により、更にはホルダ５４の内周面に長手方向に線状に形成された突条９４による線状接触によって、摺動抵抗少なくホルダ５４の内部に挿入される。
【００６３】
またホルダ５４は拡径方向に殆んど変形抵抗を有しない部材であるため、雄嵌合部４４をホルダ５４を介して雌嵌合部４８内に挿入する際、その挿入抵抗は主としてＯリング５２，５３の弾性変形の抵抗力によって決定される。
またそのＯリング５２，５３の変形抵抗は、この実施形態ではそれらを全周に亘って均等に圧縮変形させた場合に比べて小さくなっている。
【００６４】
ホルダ５４に設けた肉削部７８，８０の個所においてはＯリング５２，５３が実質的に圧縮変形しないからである。
このため雄嵌合部４４を雌嵌合部４８に挿入する際に、適正な挿入抵抗の下で、雄嵌合部４４を雌嵌合部４８に挿入し、雌嵌合部４８に対して嵌合させることができる。
【００６５】
そして雄嵌合部４４が挿入端に到ったところで、図９に示しているようにホルダ５４に形成した位置決用の突起９８が、雄嵌合部４４の外周面の凹部１００に弾性的に嵌り込んで、そこで雄嵌合部４４の挿入量が規定され、また同時にその際に突起９８と凹部１００との弾性嵌合によるクリック感が生ぜしめられる。
【００６６】
以上のような本実施形態によれば、雄嵌合部４４を雌嵌合部４８に挿入してそれらを嵌合させる際、Ｏリング５２，５３の弾性変形を伴って弾性嵌合機構５０が、雄嵌合部４４と雌嵌合部４８とを弾性嵌合させるため、従来のように嵌合クリアランスに基づいて雄嵌合部４４と雌嵌合部４８との嵌合部分でガタツキを生じず、また嵌合クリアランスを生ぜしめないためにハンド吐水部２０が支持管部としての吐水管基部２２に対し不連続に折れ曲がった形となるのを防止でき、吐水管１６即ち水栓１０の外観上の見栄えを良好となすことができる。
【００６７】
しかも本実施形態ではＯリング５２，５３の弾性変形を伴って、雄嵌合部４４を雌嵌合部４８にしなやかに挿入でき、雄嵌合部４４の挿入時の挿入感を良好となし得、ひいては水栓の品位を高めることができる。
また雄嵌合部４４と雌嵌合部４８とが弾性嵌合機構５０を介して弾性嵌合状態となるため、雄嵌合部４４即ちハンド吐水部２０を所望の保持力で保持することが可能となり、またハンド吐水部２０を所望の回転方向の位置に良好に保持することができる。
【００６８】
また弾性体としてＯリング５２，５３を用い、これを長手方向に間隔を隔てた2箇所に配置しているために雄嵌合部４４を安定的に保持できるとともに、弾性体に要するコストを安価となすことができる。
【００６９】
更に本実施形態では、Ｏリング５２，５３と雄嵌合部４４との間にホルダ５４を介在させて、そのホルダ５４の外周面上にＯリング５２，５３を保持させるようになしているため、ホルダ５４を介してＯリング５２，５３を容易に取り付けることができるとともに、雄嵌合部４４を雌嵌合部４８に挿入する際に、雄嵌合部４４がＯリング５２，５３に直接接触するのを防止でき、従って雄嵌合部４４がＯリング５２，５３に対し摺動することによりＯリング５２，５３が摩耗したり損傷したりするのを有効に防止することができる。
【００７０】
また本実施形態ではホルダ５４を全体として筒状となして、かかるホルダ５４を、雄嵌合部４４の雌嵌合部４８への挿入時に挿入案内する案内部材と成していることから、雄嵌合部４４を雌嵌合部４８に対し円滑に挿入することができる。
【００７１】
更に本実施形態では、上記Ｏリング５２，５３を保持して圧縮変形させるホルダ５４の保持溝８４，８８の溝底を部分的に肉削部７８，８０となしているため、Ｏリング５２，５３の変形抵抗に基づく雄嵌合部４４の挿入抵抗を軽減し得、雄嵌合部４４の良好な挿入性を確保することができる。
【００７２】
また本実施形態ではホルダ５４に設けた肉削部７６，７８，８０によって、更には周方向の所定個所に設けた切欠き６４によってホルダ５４の剛性，変形抵抗を可及的に小さくしてあるため、雄嵌合部４４の挿入時における挿入感を長期に亘り一定に保持することができる。
【００７３】
その他本実施形態では、ホルダ５４の内周面に径方向内方に突出する位置決用の突起９８を、また雄嵌合部４４の外周面に、対応した位置決用の凹部１００を設けてあるため、雄嵌合部４４を雌嵌合部４８に挿入したときに、それら位置決用の突起９８と凹部１００との嵌合により、雄嵌合部４４の挿入端を位置決めすることができるとともに、その際に発生するクリック感によって、雄嵌合部４４が設定した深さまで雌嵌合部４８内に挿入されたことを使用者に知らしめることができる。
【００７４】
図１０は参考例を示している。
この例は、弾性体１０２をリング状となすとともに、周方向に一定間隔ごとにブロック状の厚肉を成す厚肉部１０４を配置して、それらを細径の連結部１０６で連結したものである。
【００７５】
このようなリング状の弾性体１０２を用いることで、ホルダ５４に上記のような肉削部７８や８０を設けなくても、弾性体１０２を弾性圧縮変形させる際の変形抵抗力を小さくすることができる。
但しコスト的にはＯリング５２，５３を用いて、ホルダ５４の肉削部７８，８０によってＯリングを部分的に圧縮弾性変形させるようになすのが安価である。
【００７６】
以上本発明の実施形態を詳述したがこれはあくまで一例示である。
例えば本発明では弾性体として上記のようなＯリングに代えて、円筒状を成すゴム等の単一の弾性体を用い、その圧縮変形に基づいて雄嵌合部４４と雌嵌合部４８とを弾性嵌合させるようになすことも可能である。
また上記実施形態では雄嵌合部４４を吐水管基部２２の側に、また雌嵌合部４８をハンド吐水部２０の側に設けているが、これとは逆に雄嵌合部４４をハンド吐水部２０の側に、また雌嵌合部４８を吐水管基部２２の側に設けることも可能である。
【００７７】
また上記実施形態で示したホルダ５４はあくまで一例示であり、本発明においては他の様々な形態のホルダを用いることが可能であるし、また支持管部を上記吐水管基部２２とは異なった形態で構成して、その支持管部によりハンド吐水部２０を支持するようになすことも可能である等、本発明はその趣旨を逸脱しない範囲において種々変更を加えた形態で構成可能である。
【図面の簡単な説明】
【００７８】
【図１】本発明の一実施形態であるホース収納水栓の全体斜視図である。
【図２】同実施形態における吐水管の内部構造を示す断面図である。
【図３】図２の要部を拡大して示す断面図である。
【図４】図２のハンド吐水部を引き出した状態で示した図である。
【図５】図４の要部を拡大して示した断面図である。
【図６】同実施形態における弾性嵌合機構を各部品に分解して周辺部とともに示した図である。
【図７】同実施形態におけるホルダを示した図である。
【図８】同実施形態における弾性嵌合機構のホルダの要部の作用説明図である。
【図９】同実施形態における位置決機構の作用説明図である。
【図１０】参考例を示した図である。
【図１１】従来のホース収納水栓の一例を示した図である。
【符号の説明】
【００７９】
１０  ホース収納水栓
１８  吐水口
２０  ハンド吐水部
２２  吐水管基部（支持管部）
２４  ホース
４４  雄嵌合部
４８  雌嵌合部
５０  弾性嵌合機構
５２，５３  Ｏリング（弾性体）
５４  ホルダ
６４  切欠き
７６，７８，８０  肉削部
９８  突起
１００  凹部
【図１】
0005088733.tif 000002
【図２】
0005088733.tif 000003
【図３】
0005088733.tif 000004
【図４】
0005088733.tif 000005
【図５】
0005088733.tif 000006
【図６】
0005088733.tif 000007
【図７】
0005088733.tif 000008
【図８】
0005088733.tif 000009
【図９】
0005088733.tif 000010
【図１０】
0005088733.tif 000011
【図１１】
0005088733.tif 000012